(57)【要約】【課題】省スペースでもって高音圧を得ることができる上に、画像の乱れがない極めて好適な画像表示装置を提供すること。【解決手段】略筒状に形成されたスピーカーフレーム１の両側に、第１振動板２１ｂ、第２振動板２１ｃ、第３振動板２１ｄとそれらの振動板２１を起振させる振動手段２３とを備えてなるスピーカー部２を左右の振動板２１が交互となるように対向配置し、スピーカーフレーム１に振動板２１同士の間から外部に音声を出力させる音声出力孔１１を設けてスピーカー装置Ａを構成する。そして、このように構成したスピーカー装置Ａを液晶テレビからなる画像表示装置本体に内装することで、スピーカー部２夫々から発生した振動が相殺されて画像の乱れの原因となる振動を大幅に低減しつつ、省スペースでもって高音圧を得る。【選択図】図３
2008042619.tif 000002
【特許請求の範囲】
【請求項１】
スピーカー装置を備えた画像表示装置であって、
前記スピーカー装置は、
振動板と、該振動板と係合され前記振動板を起振させる振動手段とを備えてなるスピーカー部が、略筒状に形成されたスピーカーフレームの両側に対向配置されてなり、
前記スピーカーフレームは、前記振動板同士の間から外部に音声を出力させる音声出力孔が設けられてなることを特徴とする画像表示装置。
【請求項２】
略筒状に形成されたスピーカーフレーム内に所定間隔をおいて並設された複数の振動板が振動杆を介して接続され、その複数の前記振動板のうち、一端に配置された振動板と係合され前記振動板を起振させる振動手段が前記スピーカーフレームに支持されて、夫々の前記振動板が同調可能に構成されてなるスピーカー部が、前記スピーカーフレームの両側に対向配置されたスピーカー装置を備えた画像表示装置であって、
前記スピーカー部は、
前記振動手段が係合された前記振動板以外の前記振動板に、対向配置された一方の前記振動杆を挿通させる連通孔が設けられて、夫々の前記スピーカー部を構成する夫々の複数の前記振動板が交互に配置されて、前記スピーカーフレームの両側に当該スピーカー部が対向配置され、
前記スピーカーフレームは、交互に配置された複数の前記振動板同士の間から外部に音声を出力させる音声出力孔が設けられていることを特徴とする画像表示装置。
【発明の詳細な説明】
【技術分野】
【０００１】
本発明はスピーカー装置を備えた画像表示装置に関する。
【背景技術】
【０００２】
液晶テレビやスピーカー装置を備えた液晶パネル等の画像表示装置に用いられるスピーカー装置は、画像表示装置自体が薄型ともあって高品位の音質が得られるスピーカー装置を組み込むことが極めて難しい。
【０００３】
ここで、小口径であっても十分な駆動範囲と耐入力を得ることにより低音再生を可能にする、としたスピーカー装置を例示すると、このスピーカ装置は、マグネットの上下部にトッププレートとボトムプレートを設置し、外周にヨークを設置して上下部磁気ギャップを形成し、上下部ボイスコイルをこれらの磁気ギャップに半分オフセットした状態で配置し、振動板をデュアルギャップ用ボイスコイルの上部に載置し、これらを上下部ダンパーで支持しているものがある（例えば特許文献１参照）。
【特許文献１】特開平９−１８２１８８号公報（第１頁、図１）
【発明の開示】
【発明が解決しようとする課題】
【０００４】
仮に、上記した先行のスピーカー装置を上記した画像表示装置に組み込んだ場合、鳴音させる部材である振動板が旧来と変わらず一枚であるため、性能の向上には限界があった。
しかも、液晶を用いた画像表示装置は、装置に振動を与えると画像が乱れやすい。これは、そもそも液晶ディスプレイは、２枚のガラスの中に電極・液晶が縦横に配置され、夫々の電極に入力する信号をコントロールして、液晶分子の向きを変えることで光の通過を制御している。仮に外力等による振動がガラスに伝わるとガラスそのものが振動して、２枚のガラスの間隔が部位によって時間的に変化してしまう。
そうなると、ガラス間に充填された液晶分子の向きが変化することになり、その結果、画像が乱れてしまうのである。
【０００５】
したがって、液晶を用いた画像表示装置にスピーカー装置を組み込む場合、より性能の良い（高音圧）のスピーカー装置を組み込むことで、返って、大きな振動を液晶ディスプレイに与えることになり、上記したスペース的な問題点の他に、高品位の音質が得られるスピーカー装置を組み込むことが極めて難しかった。
【０００６】
そこで本発明は、このような状況に鑑みてなされたものであり、上記問題点を解決できる画像表示装置を提供することを目的とする。
【課題を解決するための手段】
【０００７】
上記技術課題を達成するために、本発明にかかる画像表示装置は、下記の技術的手段を講じた。
すなわち、本発明にかかる画像表示装置は、スピーカー装置を備えた画像表示装置であって、前記スピーカー装置は、振動板と、該振動板と係合され前記振動板を起振させる振動手段とを備えてなるスピーカー部が、略筒状に形成されたスピーカーフレームの両側に対向配置されてなり、前記スピーカーフレームは、前記振動板同士の間から外部に音声を出力させる音声出力孔が設けられてなることを特徴とする。
また、本発明にかかる画像表示装置は、略筒状に形成されたスピーカーフレーム内に所定間隔をおいて並設された複数の振動板が振動杆を介して接続され、その複数の前記振動板のうち、一端に配置された振動板と係合され前記振動板を起振させる振動手段が前記スピーカーフレームに支持されて、夫々の前記振動板が同調可能に構成されてなるスピーカー部が、前記スピーカーフレームの両側に対向配置されたスピーカー装置を備えた画像表示装置であって、前記スピーカー部は、前記振動手段が係合された前記振動板以外の前記振動板に、対向配置された一方の前記振動杆を挿通させる連通孔が設けられて、夫々の前記スピーカー部を構成する夫々の複数の前記振動板が交互に配置されて、前記スピーカーフレームの両側に当該スピーカー部が対向配置され、前記スピーカーフレームは、交互に配置された複数の前記振動板同士の間から外部に音声を出力させる音声出力孔が設けられていることを特徴とする。
【発明の効果】
【０００８】
本発明によれば、振動板と、その振動板と係合され振動板を起振させる振動手段とを備えてなるスピーカー部を、略筒状に形成され音声出力孔を設けたスピーカーフレームの両側に対向配置してスピーカー装置を構成し、そのスピーカー装置を画像表示装置に組み込んだから、スピーカー部夫々から発生した振動が相殺されて振動を大幅に低減することができる。したがって、当該スピーカー装置を、液晶を用いた画像表示装置に組み込んでも画像を乱すことがない。
【０００９】
また、スピーカー部を構成する振動板を複数で構成し、対向配置した夫々の振動板を交互に配置するようにしたから、省スペースでもって更に高音圧を得ることができる上に、スピーカー部夫々から発生した振動が相殺されて振動を大幅に低減することができる。したがって、高音圧を得つつ画像の乱れがない極めて好適な画像表示装置を提供できる。
【発明を実施するための最良の形態】
【００１０】
次に本発明にかかる画像表示装置の実施の形態について、添付図面を参照しながら説明する。
本実施の形態にかかる画像表示装置は、図１に示すように、スピーカーフレーム１と一対のスピーカー部２とを備えて構成されたスピーカー装置Ａと、液晶テレビからなる画像表示装置本体Ｂとを備えて構成されている。なお、画像表示装置本体Ｂは、周知の構造のものであるため詳細な説明は省略し、本発明の要部であるスピーカー装置Ａを図２及び図３を参照しながら詳述する。
【００１１】
スピーカーフレーム１は、薄板状部材でもって両端部が略すり鉢状に形成されると共に中間部が略筒状に形成されている。このスピーカーフレーム１は、その内部に後述する複数の振動板２１が並設されるが、その振動板２１同士間となる所要位置に夫々の振動板２１から外部に音声が出力されるように長孔状の音声出力孔１１が複数開口されている。
【００１２】
また、略すり鉢状に形成された両端部の傾斜面には後述する夫々の第１振動板２１ｂの音抜け用孔１２（空気抜け用孔）が設けられ、略すり鉢状に形成された一方側の端部の端面には、後述する筒部２３ｃが遊挿される開口部１３が設けられている。
【００１３】
スピーカー部２は、振動板２１と、振動杆２２と、振動手段２３とを備えて構成されている。
【００１４】
振動板２１は、スピーカーフレーム１の略すり鉢状に形成された端部に配設され、そのスピーカーフレーム１の略すり鉢状の頂部にエッジ２１ａを介して接続された左右の第１振動板２１ｂと、その第１振動板２１ｂから所要の間隔をおいてエッジ２１ａを介してスピーカーフレーム１内壁に接続された左右の第２振動板２１ｃと、その第２振動板２１ｃから所要の間隔をおいてエッジ２１ａを介してスピーカーフレーム１内壁に接続された左右の第３振動板２１ｄと備えてなる。
【００１５】
これら左右の第１振動板２１ｂ、左右の第２振動板２１ｃ、左右の第３振動板２１ｄの配置関係は、図示したように、左の第１振動板２１ｂと左の第２振動板２１ｃとの間に右の第３振動板２１ｄが配置され、左の第２振動板２１ｃと左の第３振動板２１ｄとの間に右の第２振動板２１ｃが配置され、そして右端に右の第１振動板２１ｂが配置されており、後述する振動杆２２を挿通させる挿通孔２１ｅが左右の第２振動板２１ｃと左右の第３振動板２１ｄの夫々に設けられている。この挿通孔２１ｅは、可能な限り振動板２１の中心寄りにして一箇所であることが好ましいが、２個所、あるいは、３個所にする場合は、等配となるような配置とすることが好適である（なお、図示は中心寄りにして一箇所である場合を誇張表現して中心からずれた位置に記載してある）。なお、これら左右の第１〜第３振動板２１ｄは、平坦状に形成されている。
【００１６】
振動杆２２は、第１振動板２１ｂと第２振動板２１ｃとを、また、第２振動板２１ｃと第３振動板２１ｄとを結ぶように、対向配置されたスピーカー部２の第２振動板２１ｃと第３振動板２１ｄに形成された挿通孔２１ｅを介して夫々架設された棒状部材であり、後述する振動手段２３によって起振された第１振動板２１ｂと、第２振動板２１ｃ及び第３振動板２１ｄとが同調するようになっている。
【００１７】
振動手段２３は、拡径された一端側が第１振動板２１ｂのエッジ２１ａと接続されたテーパー部２３ｂとそのテーパー部２３ｂと接続された筒部２３ｃとで構成された振動伝達部２３ａと、テーパー部２３ｂと筒部２３ｃとの交差部から張り出すように設けられ外周部がスピーカーフレーム１に接続されたダンパー２３ｄと、筒部２３ｃの外周に巻回されたボイスコイル２３ｅと、略すり鉢状に形成された一方側のスピーカーフレーム１端面に設けられた開口部１３を中心にして、そのスピーカーフレーム１端面に取り付けられた略円筒状のマグネット２３ｆと、そのマグネット２３ｆの終端面と接続されると共に筒部２３ｃに遊挿された断面視略T字状のポール２３ｇとを備えてなり、スピーカーフレーム１を挟んでその両側に対向配置されている。
【００１８】
以上のように構成されたスピーカー装置Ａは、液晶テレビからなる画像表示装置本体Ｂに内装される。
そして、対向配置された夫々のボイスコイル２３ｅに電気信号（音声信号）を流すことにより、固定された磁石に対してボイスコイル２３ｅが前後し、それが、振動伝達部２３ａ、第１振動板２１ｂ、振動杆２２、第２振動板２１ｃ、第３振動板２１ｄとに伝播する。
このようにして、第１振動板２１ｂ、第２振動板２１ｃ、第３振動板２１ｄの夫々が前後に振動して音が発生し、発生した音が音声出力孔１１を介して外部に鳴音する。このとき、スピーカー部２夫々から発生した振動が相殺されて振動が大幅に低減する。
【００１９】
このように本実施の形態にかかる画像表示装置に内装されるスピーカー装置Ａは、略筒状に形成されたスピーカーフレーム１の両側に、第１振動板２１ｂ、第２振動板２１ｃ、第３振動板２１ｄとそれらの振動板２１を起振させる振動手段２３とを備えてなるスピーカー部２を、左右の振動板２１が交互となるように対向配置し、スピーカーフレーム１に振動板２１同士の間から外部に音声を出力させる音声出力孔１１を設けたから、省スペースでもって高音圧を得ることができる上に、スピーカー部２夫々から発生した振動が相殺されて振動を大幅に低減することができる。したがって、高音圧を得つつ画像の乱れがない極めて好適な画像表示装置を提供できる。
【００２０】
以上、具体的な実施の形態について説明したが、本発明は上記実施の形態に限定されず、発明の要旨を変更しない範囲で適宜変更して実施できることは言うまでもない。
【００２１】
例えば、本実施の形態では、左右の振動板２１の数を夫々３つにしているが、左右の振動板２１の数を夫々一つ、すなわち、スピーカーフレーム１を共用してスピーカー部２を対向配置（したがって振動杆２２を通す挿通孔２１ｅは不要となる）したり、左右の振動板２１の数を上記した３つ以外の複数で構成しても良い。
また、本実施の形態では、スピーカーフレーム１を略円筒状のものを例示しているが、矩形体状のものでも良い。
【図面の簡単な説明】
【００２２】
【図１】本実施の形態にかかる画像表示装置の概略を示した正面図である。
【図２】スピーカー装置の正面図である。
【図３】同、縦断側面図である。
【符号の説明】
【００２３】
Ａ  スピーカー装置
Ｂ  画像表示装置本体
１  スピーカーフレーム
１１  音声出力孔
１２  音抜け用孔
１３  開口部
２  スピーカー部
２１  振動板
２１ａ  エッジ
２１ｂ  第１振動板
２１ｃ  第２振動板
２１ｄ  第３振動板
２１ｅ  挿通孔
２２  振動杆
２３  振動手段
２３ａ  振動伝達部
２３ｂ  テーパー部
２３ｃ  筒部
２３ｄ  ダンパー
２３ｅ  ボイスコイル
２３ｆ  マグネット
２３ｇ  ポール
【図１】
2008042619.tif 000003
【図２】
2008042619.tif 000004
【図３】
2008042619.tif 000005